(57)【特許請求の範囲】
【請求項１】
脚立の脚本体の先端部に取り付けられ、脚本体と共に脚を構成する、脚先端部品であって、
脚本体の先端部に先端側から被せるように取り付けられ、先端に屋内用接地面を有している、屋内用部材と、
屋内用部材に、屋内用接地面を覆うように且つ着脱可能に、取り付けられ、先端に屋外用接地面を有している、屋外用部材と、で構成されていることを特徴とする脚先端部品。
【請求項２】
屋内用部材が、先端に、着脱可能に取り付けられた接地部材を有しており、
接地部材が、２以上の屋内用接地面を有しており、いずれかの屋内用接地面を選択した状態で、屋内用部材の先端に取り付けられている、請求項１記載の脚先端部品。
【請求項３】
脚本体の先端部が、横断面コ字状の形態を有しており、
屋内用部材が、
脚本体の先端部に嵌合する横断面コ字状の嵌合孔部を構成する、横断面コ字状の壁部と、
脚本体の先端側にて、嵌合孔部を塞ぐとともに壁部で囲まれた空間も塞ぐ、横断面部と、
横断面部の先端側に設けられ、接地部材が着脱可能に嵌合して取り付けられる凹部と、からなっており、
屋内用部材が、壁部及び横断面部によって囲まれ、且つ、屋内用部材から取り外した屋外用部材を収容可能な、収容空間、を有している、請求項１記載の脚先端部品。
【請求項４】
収容空間が、屋外用部材を、収容空間内に屋外用接地面を向けた状態で収容するようになっている、請求項３記載の脚先端部品。
【請求項５】
屋内用部材が、横断面部に対向した上面部を有しており、
収容空間が、壁部、横断面部、及び上面部によって囲まれており、屋外用部材を、収容空間内に屋外用接地面を向けた状態で、且つ、密封嵌合した状態で、収容するようになっている、請求項３記載の脚先端部品。
【請求項６】
屋外用部材が、収容空間の周壁の一部に形成した凹部に嵌合する凸部、を有している、請求項３記載の脚先端部品。
【請求項７】
屋内用部材の壁部の、脚本体の開脚方向内側に位置する壁部分の、表面が、多数の横方向に延びたリブを有している、請求項３記載の脚先端部品。
【請求項８】
請求項１乃至７のいずれかの脚先端部品を備えた脚を有することを特徴とする脚立。
【請求項９】
梯子としても使用可能である、請求項８記載の脚立。
【発明の詳細な説明】
【技術分野】
【０００１】
本発明は、屋内及び屋外で使用するための脚立の、脚を構成する脚先端部品と、該脚先端部品を備えた脚立と、に関するものである。
【背景技術】
【０００２】
図１３は、従来一般の脚立９の脚９１を示す斜視部分図である。脚９１は、金属製の脚本体９１１の先端に樹脂製の脚先端部品９１２を取り付けて構成されている。この脚立９は、屋内及び屋外の両方の使用に供されるものである。脚先端部品９１２は、特に、屋内での使用時に、脚本体９１１の先端によって床面が傷付けられるのを、防止するためのものである。しかし、脚立９は、屋外での使用後に、そのままの状態で屋内に持ち込まれて使用されると、床面が、脚先端部品９１２に付着した砂や小石などによって傷付けられる恐れがある。そこで、図１４に示すような脚部カバー９２が提案されている（特許文献１参照）。この脚部カバー９２は、柔軟な袋でできており、屋内での使用時に、脚先端部品９１２に被せて用いられるようになっている。
【特許文献１】特開２００４−１９４１９号公報
【発明の開示】
【発明が解決しようとする課題】
【０００３】
ところが、脚先端部品９１２に砂や小石などが付着したままの場合には、脚部カバー９２を脚先端部品９１２に被せても、脚部カバー９２の表面に、砂や小石などによる凹凸が現れる。そして、そのままの状態で脚立９を屋内で使用すると、床面が上記凹凸によって傷付けられ、また、脚立の姿勢が不安定となる。また、脚部カバー９２を取り外した際に、中に溜まっている砂や小石などを取り除く必要がある。このような不具合を解消するためには、屋外で使用した脚立９を屋内で使用する前に、脚先端部品９１２に付着している小石などを取り除く作業が必要である。しかし、それは、面倒である。
【０００４】
本発明は、屋内及び屋外で使用する脚立を、屋外での使用後に屋内で使用する際に、面倒な作業を要することなく、しかも、床面を傷付けることなく、また、安定した姿勢で、使用できるようにする、脚先端部品を提供すること、及び、該脚先端部品を備えた脚立を提供すること、を目的とする。
【課題を解決するための手段】
【０００５】
請求項１記載の発明は、脚立の脚本体の先端部に取り付けられ、脚本体と共に脚を構成する、脚先端部品であって、脚本体の先端部に先端側から被せるように取り付けられ、先端に屋内用接地面を有している、屋内用部材と、屋内用部材に、屋内用接地面を覆うように且つ着脱可能に、取り付けられ、先端に屋外用接地面を有している、屋外用部材と、で構成されていることを特徴としている。
【０００６】
請求項２記載の発明は、請求項１記載の発明において、屋内用部材が、先端に、着脱可能に取り付けられた接地部材を有しており、接地部材が、２以上の屋内用接地面を有しており、いずれかの屋内用接地面を選択した状態で、屋内用部材の先端に取り付けられているものである。
【０００７】
請求項３記載の発明は、請求項１記載の発明において、脚本体の先端部が、横断面コ字状の形態を有しており、屋内用部材が、脚本体の先端部に嵌合する横断面コ字状の嵌合孔部を構成する、横断面コ字状の壁部と、脚本体の先端側にて、嵌合孔部を塞ぐとともに壁部で囲まれた空間も塞ぐ、横断面部と、横断面部の先端側に設けられ、接地部材が着脱可能に嵌合して取り付けられる凹部と、からなっており、屋内用部材が、壁部及び横断面部によって囲まれ、且つ、屋内用部材から取り外した屋外用部材を収容可能な、収容空間、を有しているものである。
【０００８】
請求項４記載の発明は、請求項３記載の発明において、収容空間が、屋外用部材を、収容空間内に屋外用接地面を向けた状態で収容するようになっているものである。
【０００９】
請求項５記載の発明は、請求項３記載の発明において、屋内用部材が、横断面部に対向した上面部を有しており、収容空間が、壁部、横断面部、及び上面部によって囲まれており、屋外用部材を、収容空間内に屋外用接地面を向けた状態で、且つ、密封嵌合した状態で、収容するようになっているものである。
【００１０】
請求項６記載の発明は、請求項３記載の発明において、屋外用部材が、収容空間の周壁の一部に形成した凹部に嵌合する凸部、を有しているものである。
【００１１】
請求項７記載の発明は、請求項３記載の発明において、屋内用部材の壁部の、脚本体の開脚方向内側に位置する壁部分の、表面が、多数の横方向に延びたリブを有しているものである。
【００１２】
請求項８記載の発明は、請求項１乃至７のいずれかの脚先端部品を備えた脚を有することを特徴とする脚立である。
【００１３】
請求項９記載の発明は、請求項８記載の発明において、梯子としても使用可能であるものである。
【発明の効果】
【００１４】
請求項１記載の発明によれば、屋外では、屋外用部材を屋内用部材に取り付けた状態で使用でき、屋内では、屋外用部材を屋内用部材から取り外した状態で使用できる。それ故、屋内用接地面に屋外の砂利などが付着することはない。したがって、本発明の脚先端部品を備えた脚立によれば、次のような効果を発揮できる。
（ａ）屋内用接地面から砂利などを取り除く作業が不要である。したがって、面倒な作業を要することなく、脚立を屋内で使用できる。
（ｂ）屋内用接地面には砂利などが付着していないので、砂利などによって屋内の床面などの被接地面が傷付けられるのを、防止できる。
（ｃ）屋内用接地面に、砂利などによる凹凸ができないので、屋内用接地面を平滑な状態で使用できる。したがって、脚立を安定した姿勢で使用できる。
【００１５】
請求項２記載の発明によれば、脚立を屋内で使用する際に、２以上の屋内用接地面のいずれかを選択して使用することができる。したがって、脚立を、その用途や屋内の被接地面の種類などに良好に適応させて、使用することができる。
【００１６】
請求項３記載の発明によれば、脚立を屋内で使用する際に、屋内用部材から取り外した屋外用部材を、収容空間に収容しておくことができる。したがって、屋外用部材を別の場所に保管するための手間をかけることなく、脚立を屋内で使用することができる。
【００１７】
請求項４記載の発明によれば、屋外用接地面に付着した砂利などを屋内に持ち込んだり床面などに落としたりするのを、防止できる。
【００１８】
請求項５記載の発明によれば、屋外用接地面を収容空間内に封止できるので、脚立を梯子として使用する際に脚先端部品が逆さ状態となっても、屋外用接地面に付着している砂利などが収容空間から落ちるのを防止できる。
【００１９】
請求項６記載の発明によれば、収容空間内に収容された屋外用部材を、力を加えない限り、確実に収容空間から外れないようにできる。したがって、屋外用部材の落下を気に掛けることなく、屋内で脚立を持ち運んだり使用したりすることができる。
【００２０】
請求項７記載の発明によれば、脚立を梯子として使用する際に、脚先端部品のリブのある壁部分を、被立て掛け体の縁部に、立て掛けることができる。このとき、リブが、縁部に引っ掛かった状態となるので、脚立が被立て掛け体から滑ってしまうのを防止できる。しかも、脚先端部品のリブのある壁部分は、多数のリブによって補強されているので、脚立の脚の先端部の強度を向上でき、したがって、梯子として使用する際の脚立が立て掛け部分にて破損するのを、防止できる。
【００２１】
請求項８記載の発明によれば、請求項１乃至請求項７に記載の発明に基づく効果を発揮できる脚立を提供できる。
【００２２】
請求項９記載の発明によれば、請求項１乃至請求項７に記載の発明に基づく効果を発揮できる梯子兼用脚立を提供できる。
【発明を実施するための最良の形態】
【００２３】
図１は本発明の脚先端部品を備えた脚立を示す斜視図、図２は脚先端部品を示す拡大斜視図である。この脚立１は、２つの脚部材２を所定角度αだけ開いた状態で使用されるものであり、角度αを図１に示すように鋭角に設定した場合には脚立として使用され、角度αを１８０度に設定した場合には梯子として使用されるものである。すなわち、脚立１は、いわゆる梯子兼用脚立である。
【００２４】
脚部材２は、２本の脚２１と、２本の脚２１の間に張り渡された複数本の横部材２２と、で構成されている。そして、脚２１は、脚本体４と、脚本体４の先端部に取り付けられた脚先端部品５と、で構成されている。脚本体４は金属製であり、脚先端部品５は樹脂製である。脚本体４は、横断面コ字状を有している。
【００２５】
図３は図２のIII矢視図であり、脚先端部品５の右側面図である。図４は図３のIV矢視図、図５は図３のＶ矢視図、図６は脚先端部品５の左側面図、図７は図３のVII矢視図、図８は図３のVIII矢視図である。
【００２６】
脚先端部品５は、脚本体４の先端部に取り付けられる屋内用部材６と、屋内用部材６の先端に取り付けられる屋外用部材７と、からなっている。図９は脚先端部品５を分解して示す右側面図である。屋内用部材６は、装着部材６１と接地部材６２とからなっており、装着部材６１によって脚本体４に取り付けられるようになっている。
【００２７】
装着部材６１は、壁部８１と横断面部８２と凹部８３とからなっている。壁部８１は、脚本体４の先端部に嵌合する横断面コ字状の嵌合孔部８４（図７）を構成しており、横断面コ字状を有している。すなわち、壁部８１は、図７に示すように、内壁８１１と外壁８１２とからなる２重壁構造を有しており、内壁８１１と外壁８１２との間に嵌合孔部８４を構成している。横断面部８２は、脚本体４の先端側にて、嵌合孔部８４を塞ぐとともに壁部８１で囲まれた空間も塞いでいる。凹部８３は、横断面部８２の先端側に設けられており、接地部材６２が着脱可能に嵌合して取り付けられるよう構成されている。
【００２８】
更に、壁部８１は、図３に示すように、３つの壁部分８１Ａ、８１Ｂ、８１Ｃとからなっている。壁部分８１Ａは、脚本体４の開脚方向内側に位置する部分であり、壁部分８１Ｂは、脚本体４の外側に位置する部分であり、壁部分８１Ｃは、脚本体４の開脚方向外側に位置する部分である。壁部分８１Ａの長手寸法Ｌ１は、他の壁部分８１Ｂ、８１Ｃの長手寸法Ｌ２より長く設定されている。壁部分８１Ａの表面には、多数の横方向に延びたリブ８１３が設けられている。
【００２９】
接地部材６２は、６面体である。接地部材６２の上下両面には、屋内用接地面６２１、６２２が設けられている。屋内用接地面６２１は、ゴム材で構成されており、屋内用接地面６２２は、フェルト材で構成されている。なお、凹部８３は、接地部材６２がいずれかの屋内用接地面を露出させた状態で嵌合されるよう、構成されている。
【００３０】
屋外用部材７は、上開きの箱体である。屋外用部材７は、凹部８３に嵌合された状態の接地部材６２を覆って、凹部８３を構成する壁８３１に外嵌するよう、構成されている。すなわち、屋外用部材７が壁８３１に外嵌すると、凹部８３から露出している接地部材６２は、屋外用部材７内に収容される。屋外用部材７の先端面は、屋外用接地面７１となっている。屋外用接地面７１には、屋外の地面などの被接地面に対する滑り止め用の凹凸が形成されている。
【００３１】
図１０に示すように、屋内用部材６には、壁部８１及び横断面部８２によって囲まれ、且つ、屋内用部材６から取り外した屋外用部材７を収容可能な、収容空間６０が、構成されている。収容空間６０は、屋外用部材７を、収容空間６０内に屋外用接地面７１を向けた状態で収容できるようになっている。
【００３２】
上記構成の脚先端部品５によれば、以下に述べるように、脚立１の有効な使用を実現できる。
【００３３】
（１）脚先端部品５は、屋外では、屋外用部材７を屋内用部材６に取り付けた状態で使用し、屋内では、屋外用部材７を屋内用部材６から取り外した状態で使用する。このとき、屋外では、屋外用部材７の屋外用接地面７１が、屋外の地面などの被接地面に当接し、屋内では、屋内用接地面６２１、６２２の一方が、屋内の床面などの被接地面に当接する。このように、脚先端部品５では、屋内用接地面を屋外で使用することはないので、屋内用接地面に屋外の砂利などが付着することはない。
【００３４】
したがって、脚先端部品５は、脚立１に、次のような効果を発揮させることができる。
（ａ）屋内用接地面から砂利などを取り除く作業が不要である。したがって、面倒な作業を要することなく、脚立１を屋内で使用できる。
（ｂ）屋内用接地面には砂利などが付着していないので、砂利などによって屋内の床面などの被接地面が傷付けられるのを、防止できる。
（ｃ）屋内用接地面に、砂利などによる凹凸ができないので、屋内用接地面は平滑な状態で使用される。したがって、脚立１を安定した姿勢で使用できる。
【００３５】
（２）脚立１を屋内で使用する際には、屋内用部材６から取り外した屋外用部材７を、収容空間６０に収容しておくことができる。したがって、屋外用部材７を別の場所に保管するための手間をかけることなく、脚立１を屋内で使用することができる。
【００３６】
（３）収容空間６０が、屋外用部材７を、収容空間６０内に屋外用接地面７１を向けた状態で収容することができるので、屋外用接地面７１に付着した砂利などを屋内に持ち込んだり床面などに落としたりするのを、防止できる。
【００３７】
（４）脚立１を屋内で使用する際には、屋内用接地面６２１、６２２の一方を選択して使用することができる。ゴム材で構成された屋内用接地面６２１を使用すると、被接地面に対して屋内用接地面６２１が滑るのを、良好に防止できる。また、フェルト材で構成された屋内用接地面６２２を使用すると、被接地面が傷付けられるのを、良好に防止できる。したがって、脚立１を、その用途や屋内の被接地面の種類などに良好に適応させて、使用することができる。
【００３８】
（５）脚立１を梯子として使用する際には、図１１に示すように、脚先端部品５の壁部分８１Ａを、被立て掛け体１００の縁部１０１に、立て掛けることができる。このとき、壁部分８１Ａのリブ８１３が、縁部１０１に引っ掛かった状態となるため、脚立１が被立て掛け体１００から滑ってしまうのを防止できる。しかも、壁部分８１Ａは、多数のリブ８１３によって補強されているので、脚立１の脚３の先端部の強度を向上でき、したがって、梯子として使用する際の脚立１が立て掛け部分にて破損するのを、防止できる。
【００３９】
なお、上記構成の脚先端部品５は、次のような変形構成を採用してもよい。
（１）図１２に示す構成を採用してもよい。図１２では、屋内用部材６において、横断面部８２に対向する上面部８５が設けられ、収容空間６０が、壁部８１（すなわち壁部分８１Ａ、８１Ｂ、８１Ｃ）と横断面部８２と上面部８５とで構成されて、屋外用部材７を、収容空間６０内に屋外用接地面７１を向けた状態で且つ密封嵌合した状態で、収容できるようになっている。
【００４０】
この構成によれば、屋外用接地面７１が収容空間６０内に封止されているので、脚立１を梯子として使用する際に脚先端部品５が逆さ状態となっても、屋外用接地面７１に付着している砂利などが収容空間６０から落ちるのを防止できる。
【００４１】
なお、屋外用部材７を収容空間６０内に密封嵌合する際において、屋外用部材７の一部に形成した凸部７２を、収容空間６０の周壁の一部、ここでは上面部８５の縁、に形成した凹部８５１に、嵌合させるようにしてもよい。この構成によれば、収容空間６０内に密封嵌合した屋外用部材７を、力を加えない限り、確実に収容空間６０から外れないようにできる。したがって、屋外用部材７の落下を気に掛けることなく、屋内で脚立１を持ち運んだり使用したりすることができる。
【００４２】
（２）図１１に一点鎖線で示すような壁部分８１Ｄを設けてもよい。壁部分８１Ｄは、横断面部８２に連結し、且つ、収容空間６０の先端側の一部分を右側から塞ぐよう、設けられている。この構成によれば、収容空間６０に収容した屋外用部材７の屋外用接地面７１から剥離した砂利などが、収容空間６０から溢れ出るのを、防止できる。
【００４３】
（３）接地部材６２において、屋内用接地面を、上下両面だけでなく、側面にも設けてもよい。例えば、６面全てに屋内用接地面を設ければ、使用する屋内用接地面を６種類から選択でき、したがって、脚立１を、その用途や屋内の被接地面の種類などに、より良好に適応させて、使用することができる。更に、接地部材６２を、６面体以上の多面体とすれば、上記効果を更に向上できる。
【００４４】
（４）脚本体４が、横断面コ字状以外の形態、例えば、横断面Ｃ字状のような形態や、横断面円形や横断面矩形のような形態、を有する場合において、そのような形態に合わせて装着部材６１の形態を変えることにより、屋内用部材６を、脚本体４の先端部に取り付けるようにしてもよい。これによっても、上記構成の脚先端部品５と同様の効果を発揮できる。但し、装着部材６１の形態によっては、収容空間６０が無くなり、それ故、収容空間６０に基づく効果を発揮できない場合がある。
【００４５】
（５）上記構成の脚先端部品５は、梯子兼用脚立に使用しているが、梯子兼用ではない単なる脚立に使用してもよい。
【産業上の利用可能性】
【００４６】
本発明の脚先端部品は、脚立の有効な使用を実現できるので、産業上の利用価値が大である。
【図面の簡単な説明】
【００４７】
【図１】本発明の脚先端部品を備えた脚立を示す斜視図である。
【図２】脚先端部品を示す拡大斜視図である。
【図３】図２のIII矢視図であり、脚先端部品の右側面図である。
【図４】図３のIV矢視図である。
【図５】図３のＶ矢視図である。
【図６】脚先端部品の左側面図である。
【図７】図３のVII矢視図である。
【図８】図３のVIII矢視図である。
【図９】脚先端部品を分解して示す右側面図である。
【図１０】屋内用部材の収容空間に屋外用部材を収容させる状態を示す斜視図である。
【図１１】脚立を梯子として使用する際の脚先端部品を示す側面部分図である。
【図１２】収容空間の変形構成の一例を示す斜視図である。
【図１３】従来の脚先端部品の斜視図である。
【図１４】従来の脚先端部品に取り付ける脚部カバーの斜視図である。
【符号の説明】
【００４８】
１  脚立  ４  脚本体  ５  脚先端部品  ６  屋内用部材  ６０  収容空間  ６２  接地部材  ６２１、６２２  屋内用接地面  ７  屋外用部材  ７１  屋外用接地面  ７２  凸部  ８１  壁部  ８１Ａ、８１Ｂ、８１Ｃ  壁部  ８２  横断面部  ８３  凹部  ８４  嵌合孔部  ８５  上面部  ８５１  凹部
【図１】
0004647464.tif 000002
【図２】
0004647464.tif 000003
【図３】
0004647464.tif 000004
【図４】
0004647464.tif 000005
【図５】
0004647464.tif 000006
【図６】
0004647464.tif 000007
【図７】
0004647464.tif 000008
【図８】
0004647464.tif 000009
【図９】
0004647464.tif 000010
【図１０】
0004647464.tif 000011
【図１１】
0004647464.tif 000012
【図１２】
0004647464.tif 000013
【図１３】
0004647464.tif 000014
【図１４】
0004647464.tif 000015